【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
寝台上の被検体にＸ線を照射し、前記被検体を透過したＸ線を検出してＸ線投影データを生成する撮影部と、前記Ｘ線投影データに基づいて画像データを生成する画像データ生成部と、前記画像データを収集する収集条件を算出する収集条件算出部と、予め設定された第１の撮影条件に基づいて前記寝台及び前記撮影部の少なくとも一方が移動しながらＸ線照射を行う第１の長尺撮影により生成された画像データを前記第１の撮影条件に基づいて算出される収集条件で収集し、前記第１の長尺撮影が行われているときに前記第１の撮影条件の変更入力により設定された第２の撮影条件に基づいて前記少なくとも一方が移動しながらＸ線照射を行う第２の長尺撮影により生成された画像データを前記第２の撮影条件の設定に応じて算出される収集条件で収集する収集部とを備えたことを特徴とするＸ線診断装置。
【請求項２】
前記第１の撮影条件として、前記少なくとも一方の移動速度である第１の速度と、前記被検体を透過したＸ線を検出するＸ線検出部へ入射するＸ線の第１の入射領域の、前記少なくとも一方の移動方向における第１の入射領域長と、前記第１の入射領域のうちの前記収集部で収集された画像データとこの画像データが収集された後に収集される画像データとを貼り合せる貼り合せ領域に対応する重なり領域の、前記少なくとも一方の移動方向における重なり領域長とが設定され、前記第１の撮影条件に基づいて算出される収集条件は、前記第１の入射領域長から前記重なり領域長を差し引いた値で前記第１の速度を除することにより算出される第１の収集レートであり、前記収集部は、前記第１の長尺撮影により生成された画像データを、前記第１の収集レートで収集することを特徴とする請求項１に記載のＸ線診断装置。
【請求項３】
前記第１の撮影条件の変更入力により、前記第１の入射領域長から前記Ｘ線検出部へ入射するＸ線の第２の入射領域の、前記少なくとも一方の移動方向における第２の入射領域長に変更設定され、前記第２の撮影条件の設定に応じて算出される収集条件は、前記第１の入射領域長と前記第２の入射領域長の和を２で除して前記重なり領域長を差し引いた値で前記第１の速度を除することにより算出される第２の収集レートであり、前記収集部は、前記第２の長尺撮影により生成された画像データの１回目の収集を、前記第２の収集レートで行うことを特徴とする請求項２に記載のＸ線診断装置。
【請求項４】
前記第２の撮影条件の設定に応じて算出される収集条件は、前記第２の入射領域長から前記重なり領域長を差し引いた値で前記第１の速度を除することにより算出される第３の収集レートであり前記収集部は、前記第２の長尺撮影により生成された画像データの２回目以降の収集を、前記第３の収集レートで行うことを特徴とする請求項３に記載のＸ線診断装置。
【請求項５】
前記少なくとも一方の位置を検出する位置検出部を有し、前記第１の撮影条件として、前記少なくとも一方の移動速度である第１の速度と、前記被検体を透過したＸ線を検出するＸ線検出部へ入射するＸ線の第１の入射領域の、前記少なくとも一方の移動方向における第１の入射領域長と、前記第１の入射領域のうちの前記収集部で収集された画像データとこの画像データが収集された後に収集される画像データとを貼り合せる貼り合せ領域に対応する重なり領域の、前記少なくとも一方の移動方向における重なり領域長とが設定され、前記第１の撮影条件に基づいて算出される収集条件は、前記第１の入射領域長から前記重なり領域長を差し引くことにより算出される第１の距離であり、前記収集部は、前記位置検出部により検出された前記少なくとも一方の位置情報に基づいて、前記第１の長尺撮影により生成された画像データをｎ回目（ｎは正の数）に収集し、ｎ回目に収集した位置から前記少なくとも一方がこの移動方向に前記第１の距離を移動した位置で前記第１の長尺撮影により生成された画像データを（ｎ＋１）回目に収集することを特徴とする請求項１に記載のＸ線診断装置。
【請求項６】
前記第１の撮影条件の変更入力により、前記第１の入射領域長から前記Ｘ線検出部へ入射するＸ線の第２の入射領域の、前記少なくとも一方の移動方向における第２の入射領域長に変更設定され、前記第２の撮影条件の設定に応じて算出される収集条件は、前記第１の入射領域長と前記第２の入射領域長の和を２で除して前記重なり領域長を差し引くことにより算出される第２の距離であり、前記収集部は、前記位置検出部により検出された前記少なくとも一方の位置情報に基づいて、前記第１の長尺撮影により生成される画像データを最後に収集した位置から前記少なくとも一方がこの移動方向に前記第２の距離を移動した位置で前記第２の長尺撮影により生成された画像データを収集することを特徴とする請求項５に記載のＸ線診断装置。
【請求項７】
前記第２の撮影条件の設定に応じて算出される収集条件は、前記第２の入射領域長から前記重なり領域長を差し引くことにより算出される第３の距離であり、前記収集部は、前記位置検出部により検出される前記少なくとも一方の位置情報に基づいて、前記少なくとも一方が前記第２の距離を移動した位置から前記少なくとも一方の移動方向に前記第３の距離を移動した位置で前記第２の長尺撮影により生成された画像データを収集することを特徴とする請求項６に記載のＸ線診断装置。
【請求項８】
寝台上の被検体にＸ線を照射し、前記被検体を透過したＸ線を検出してＸ線投影データを生成する撮影部と、前記Ｘ線投影データに基づいて画像データを生成する画像データ生成部と、前記画像データを収集する収集条件を算出する収集条件算出部と、前記寝台及び前記撮影部の少なくとも一方の位置を検出する位置検出部と、予め設定された第１の撮影条件に基づいて前記少なくとも一方が移動しながらＸ線照射が行われる第１の長尺撮影により生成された画像データ、及び前記第１の長尺撮影が行われているときに前記第１の撮影条件の変更入力により設定された第２の撮影条件に基づいて前記少なくとも一方が移動しながらＸ線照射が行われる第２の長尺撮影により生成された画像データを、前記第１の撮影条件に基づいて算出される収集条件及び前記少なくとも一方の位置情報に基づいて収集する収集部とを備えたことを特徴とするＸ線診断装置。
【請求項９】
前記第１の撮影条件として、前記少なくとも一方の移動速度である第１の速度と、前記被検体を透過したＸ線を検出するＸ線検出部へ入射するＸ線の第１の入射領域の、前記少なくとも一方の移動方向における第１の入射領域長と、前記第１の入射領域のうちの前記収集部で収集された画像データとこの画像データが収集された後に収集される画像データとを貼り合せる貼り合せ領域に対応する重なり領域の、前記少なくとも一方の移動方向における重なり領域長とが設定され、前記第１の撮影条件に基づいて算出される収集条件は、前記第１の入射領域長から前記重なり領域長を差し引くことにより算出される第１の距離であり、前記第１の撮影条件の変更入力により、前記第１の速度から第２の速度に変更設定され、前記収集部は、前記少なくとも一方が移動して前記少なくとも一方の移動方向に前記第１の距離離れた位置を通過する毎にその位置で前記第１又は第２の長尺撮影により生成される透視画像データを収集することを特徴とする請求項８に記載のＸ線診断装置。
【請求項１０】
前記画像データ生成部で生成された画像データを表示する表示部及び前記収集部で収集された画像データとこの画像データの次に収集される画像データとを前記貼り合せ領域で貼り合せて長尺画像データを生成する画像データ貼り合せ部を有し、前記画像データ貼り合せ部は、前記収集部で収集された画像データを前記収集部の収集毎に貼り合せて長尺画像データを生成し、前記表示部は、前記収集部の収集毎に生成される長尺画像データをリアルタイムに表示することを特徴とする請求項１乃至請求項９のいずれかに記載のＸ線診断装置。
【請求項１１】
前記画像データは、前記被検体に透視用のＸ線を連続的に照射することにより生成される透視画像データであることを特徴とする請求項１乃至請求項１０のいずれかに記載のＸ線診断装置。
【手続補正２】
【補正対象書類名】明細書
【補正対象項目名】０００６
【補正方法】変更
【補正の内容】
【０００６】
上記目的を達成するために、実施形態のＸ線診断装置は、寝台上の被検体にＸ線を照射し、前記被検体を透過したＸ線を検出してＸ線投影データを生成する撮影部と、前記Ｘ線投影データに基づいて画像データを生成する画像データ生成部と、前記画像データを収集する収集条件を算出する収集条件算出部と、予め設定された第１の撮影条件に基づいて前記寝台及び前記撮影部の少なくとも一方が移動しながらＸ線照射を行う第１の長尺撮影により生成された画像データを前記第１の撮影条件に基づいて算出される収集条件で収集し、前記第１の長尺撮影が行われているときに前記第１の撮影条件の変更入力により設定された第２の撮影条件に基づいて前記少なくとも一方が移動しながらＸ線照射を行う第２の長尺撮影により生成された画像データを前記第２の撮影条件の設定に応じて算出される収集条件で収集する収集部とを備えたことを特徴とする。